(57)【要約】【課題】  画像形成装置において、印刷すべき画像の内容に応じて適切なトナー削減方法でトナー消費量を削減しつつ画質の低下を抑制する。【解決手段】  属性割合特定部３２は、抽出されたオブジェクトについて、属性ごとに、抽出されたオブジェクトすべてに対するその属性のオブジェクトの割合を特定する。ガンマ補正処理部３３は、トナー削減モードが選択されている場合において、所定属性のオブジェクトの部分が少ないと判定されたとき、第１の方法でその所定属性以外のオブジェクトについてのトナー消費量を少なくする。また、スクリーン処理部３４は、トナー削減モードが選択されている場合において、その所定属性のオブジェクトの部分が多いと判定されたとき、第１の方法とは異なる第２の方法でその所定属性のオブジェクトについてのトナー消費量を少なくする。【選択図】  図２
2014164199.tif 000002
【特許請求の範囲】
【請求項１】
動作モードとして通常モードおよびトナー削減モードのいずれかを選択し選択した前記動作モードで動作可能な画像形成装置において、
画像内のオブジェクトを抽出し、各オブジェクトの属性を特定するオブジェクト抽出部と、
抽出された前記オブジェクトについて、属性ごとに、抽出された前記オブジェクトすべてに対するその属性のオブジェクトの割合を特定する属性割合特定部と、
前記トナー削減モードが選択されている場合において、所定属性のオブジェクトの部分が少ないと判定されたとき、第１の方法で前記所定属性以外のオブジェクトについてのトナー消費量を少なくする第１処理部と、
前記トナー削減モードが選択されている場合において、前記所定属性のオブジェクトの部分が多いと判定されたとき、前記第１の方法とは異なる第２の方法で前記所定属性のオブジェクトについてのトナー消費量を少なくする第２処理部と、
を備えることを特徴とする画像形成装置。
【請求項２】
前記第１処理部は、前記トナー削減モードが選択されている場合において、文字属性のオブジェクトの部分が少ないときには、前記通常モードのガンマ特性よりトナー消費量が少なくなるトナー削減ガンマ特性で前記文字属性以外のオブジェクトに対してガンマ補正を行い、前記文字属性のオブジェクトに対しては前記トナー削減ガンマ特性でのガンマ補正を行わないことを特徴とする請求項１記載の画像形成装置。
【請求項３】
前記第２処理部は、前記トナー削減モードが選択されている場合において、文字属性のオブジェクトの部分が多いときには、前記文字属性のオブジェクトのトナー現像におけるドットサイズを前記通常モードの場合より小さくし、前記文字属性以外のオブジェクトのトナー現像におけるドットサイズは前記通常モードの場合と同一とすることを特徴とする請求項１または請求項２記載の画像形成装置。
【請求項４】
前記属性割合特定部は、前記割合に基づき、前記文字属性のオブジェクトの部分が多いかまたは少ないか、並びに文字属性のオブジェクトの部分と文字属性以外のオブジェクトの部分が同等であるかを判定し、
前記トナー削減モードが選択されている場合において、前記文字属性のオブジェクトの部分と文字属性以外のオブジェクトの部分が同等であると判定されたとき、前記第１処理部は、前記第１の方法で前記文字属性以外のオブジェクトについてのトナー消費量を少なくし、かつ、前記第２処理部は、前記第２の方法で前記文字属性のオブジェクトについてのトナー消費量を少なくすること、
を特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
プリンター、複合機などの画像形成装置には、通常モードより少ないトナー消費量で印刷を行うトナー削減モードを選択可能なものがある。トナー削減モードは、ドラフト段階での印刷、トナーカートリッジのコスト削減などを目的に使用されることが多い。
【０００３】
ある画像形成装置では、オブジェクトの属性（文字、画像、およびグラフィクス）に対応してガンマ補正におけるガンマ特性を変更してトナー消費量を削減している（例えば特許文献１参照）。
【先行技術文献】
【特許文献】
【０００４】
【特許文献１】特開２００６−８２２５１号公報
【発明の概要】
【発明が解決しようとする課題】
【０００５】
しかしながら、上述のようにして、すべての属性のオブジェクトに対して、一律の方法（ここではガンマ補正）でトナー削減を行うと画像の内容によっては画質が低下してしまうことがある。例えば、上述の画像形成装置のように文字部分に対してガンマ補正を行うと、ジャギーが目立つことがある。
【０００６】
本発明は、上記の問題に鑑みてなされたものであり、印刷すべき画像の内容に応じて適切なトナー削減方法でトナー消費量を削減しつつ画質の低下を抑制する画像形成装置を得ることを目的とする。
【課題を解決するための手段】
【０００７】
本発明に係る画像形成装置は、動作モードとして通常モードおよびトナー削減モードのいずれかを選択し選択した前記動作モードで動作可能な画像形成装置であり、画像内のオブジェクトを抽出し、各オブジェクトの属性を特定するオブジェクト抽出部と、抽出された前記オブジェクトについて、属性ごとに、抽出された前記オブジェクトすべてに対するその属性のオブジェクトの割合を特定する属性割合特定部と、前記トナー削減モードが選択されている場合において、所定属性のオブジェクトの部分が少ないと判定されたとき、第１の方法で前記所定属性以外のオブジェクトについてのトナー消費量を少なくする第１処理部と、前記トナー削減モードが選択されている場合において、前記所定属性のオブジェクトの部分が多いと判定されたとき、前記第１の方法とは異なる第２の方法で前記所定属性のオブジェクトについてのトナー消費量を少なくする第２処理部とを備える。
【発明の効果】
【０００８】
本発明によれば、画像形成装置において、印刷すべき画像の内容に応じて適切なトナー削減方法でトナー消費量を削減しつつ画質の低下を抑制することができる。
【図面の簡単な説明】
【０００９】
【図１】図１は、本発明の実施の形態に係る画像形成装置の機械的な内部構成の一部を示す側面図である。
【図２】図２は、本発明の実施の形態に係る画像形成装置の電気的な構成の一部を示すブロック図である。
【図３】図３は、通常モードのガンマ特性およびトナー削減モードのガンマ特性の例を示す図である。
【図４】図４は、実施の形態１における、画像データの画素値とスクリーン処理後の印刷画像データとの関係を説明する図である。
【図５】図５は、図１に示す画像形成装置において、露光装置から感光体ドラムへ照射される光のオン・オフを説明する図である。
【図６】図６は、図１および図２に示す画像形成装置のトナー削減モードでの動作について説明するフローチャートである。
【発明を実施するための形態】
【００１０】
以下、図に基づいて本発明の実施の形態を説明する。
【００１１】
図１は、本発明の実施の形態に係る画像形成装置の機械的な内部構成の一部を示す側面図である。この画像形成装置は、プリンター、ファクシミリ装置、複写機、複合機などといった、印刷機能を有する装置である。また、この実施の形態の画像形成装置は、ユーザー操作または設定に応じて、動作モードとして通常モードおよびトナー削減モードのいずれかを選択し選択した動作モードで動作する。
【００１２】
この実施の形態の画像形成装置は、タンデム方式のカラー現像装置を有する。このカラー現像装置は、感光体ドラム１ａ〜１ｄ、露光装置２ａ〜２ｄおよび現像ユニット３ａ〜３ｄを有する。感光体ドラム１ａ〜１ｄは、シアン、マゼンタ、イエローおよびブラックの４色の感光体である。感光体ドラム１ａ〜１ｄは、例えばアモルファスシリコン製である。
【００１３】
露光装置２ａ〜２ｄは、感光体ドラム１ａ〜１ｄへレーザー光を走査しつつ照射して静電潜像を形成する装置である。レーザー光は、感光体ドラム１ａ〜１ｄの回転方向（副走査方向）に垂直な方向（主走査方向）に走査される。露光装置２ａ〜２ｄは、レーザー光の光源であるレーザーダイオード、およびそのレーザー光を感光体ドラム１ａ〜１ｄへ導く光学素子（レンズ、ミラー、ポリゴンミラーなど）を含むレーザースキャニングユニットを有する。
【００１４】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００１５】
現像ユニット３ａ〜３ｄは、シアン、マゼンタ、イエローおよびブラックの４色のトナーが充填されているトナーコンテナを有し、そのトナーを感光体ドラム１ａ〜１ｄ上の静電潜像に付着させてトナー画像を形成する。トナーは、キャリアとともに現像剤を構成し、さらに、酸化チタンなどの外添剤が付加されている。
【００１６】
感光体ドラム１ａ、露光装置２ａおよび現像ユニット３ａにより、マゼンタの現像が行われ、感光体ドラム１ｂ、露光装置２ｂおよび現像ユニット３ｂにより、シアンの現像が行われ、感光体ドラム１ｃ、露光装置２ｃおよび現像ユニット３ｃにより、イエローの現像が行われ、感光体ドラム１ｄ、露光装置２ｄおよび現像ユニット３ｄにより、ブラックの現像が行われる。
【００１７】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００１８】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００１９】
ローラー７は、クリーニングブラシを有し、クリーニングブラシを中間転写ベルト４に接触させ、用紙へのトナー画像の転写後に中間転写ベルト４に残ったトナーを除去する。
【００２０】
センサー８は、中間転写ベルト４に光線を照射し、中間転写ベルト４の表面またはその表面上のトナーパターンからの反射光を検出する。例えば、センサー８は、トナー濃度調整の際に、中間転写ベルト４の所定の領域に光線を照射し光線の反射光を検出し、その光量に応じた電気信号を出力する。
【００２１】
図２は、本発明の実施の形態に係る画像形成装置の電気的な構成の一部を示すブロック図である。図２に示すように、この画像形成装置は、通信装置１１と、演算処理装置１２と、印刷装置１３とを備える。
【００２２】
通信装置１１は、ネットワークや周辺機器インターフェイスを介してホスト装置に接続可能であって、所定の通信プロトコルでデータ通信を行う装置である。
【００２３】
また、演算処理装置１２は、ＡＳＩＣ（Application Specific Integrated Circuit）および／またはコンピューターを有し、ハードウェアおよび／またはソフトウェアで各種処理部を実現する。コンピューターは、ＣＰＵ（Central Processing Unit）、ＲＯＭ（Read Only Memory）、ＲＡＭ（Random Access Memory）などを有し、図示せぬ記憶装置、ＲＯＭなどからＲＡＭへプログラムをロードし、そのプログラムをＣＰＵで実行することにより、ソフトウェアで各種処理部を実現する。
【００２４】
また、印刷装置１３は、図１に示すような機械的構成で原稿画像を印刷する内部デバイスである。
【００２５】
この実施の形態では、演算処理装置１２により、図示せぬオペレーティングシステム、通信処理部２１、印刷要求処理部２２、コントローラー２３、画像処理部２４などの処理部が実現される。
【００２６】
通信処理部２１は、通信装置１１を制御してホスト装置などとデータ通信を実行する処理部である。例えば、通信処理部２１は、ホスト装置から印刷要求としての原稿データを受信する。
【００２７】
また、印刷要求処理部２２は、操作パネルに対するユーザー操作に基づく印刷要求やホスト装置から供給される印刷要求を受け付け、その要求に応じた印刷ジョブを実行させる。例えば、ホスト装置から、ＰＤＬ（Page Description Language）、ＰＤＦ（Portable Document Format）などの所定のデータ形式の原稿データが印刷要求として受信されると、印刷要求処理部２２は、その原稿データから画像データを生成する。この画像データは、ビットマップデータであり、ホスト装置からビットマップデータの原稿データが受信されると、印刷要求処理部２２は、その原稿データをそのまま画像データとする。
【００２８】
また、コントローラー２３は、印刷装置１３などの内部デバイスを監視および制御する処理部である。コントローラー２３は、上述のローラーなどを駆動する図示せぬ駆動源、現像バイアスおよび１次転写バイアスを印加するバイアス印加回路、並びに露光装置２ａ〜２ｄを制御して、トナー画像の現像、転写および定着、並びに給紙、印刷および排紙を実行させる処理回路である。現像バイアスは、感光体ドラム１ａ〜１ｄと現像ユニット３ａ〜３ｄとの間にそれぞれ印加され、１次転写バイアスは、感光体ドラム１ａ〜１ｄと中間転写ベルト４との間にそれぞれ印加される。また、コントローラー２３は、露光装置２ａ〜２ｄの露光時間を調整して、トナー現像されるドットのサイズを制御する。
【００２９】
また、画像処理部２４は、その画像データに対して、色変換（例えばＲＧＢデータからＣＭＹＫデータへの色変換）、ガンマ補正、スクリーン処理などの所定の画像処理を実行し、印刷データ（例えば色ごとに２値化された印刷画像データ）を生成する。画像処理部２４は、オブジェクト抽出部３１、属性割合特定部３２、ガンマ補正処理部３３、およびスクリーン処理部３４を有する。
【００３０】
オブジェクト抽出部３１は、画像内のオブジェクトを抽出し、各オブジェクトの属性（例えば、文字属性、階調属性など）を特定する。例えば写真は、階調属性のオブジェクトとなる。ＰＤＬデータなどの原稿データから画像データが生成された場合、オブジェクト抽出部３１は、その原稿データ内の情報に基づいて、画像内のオブジェクトおよび各オブジェクトの属性を特定する。
【００３１】
属性割合特定部３２は、抽出されたオブジェクトについて、属性ごとに、抽出されたオブジェクトすべてに対するその属性のオブジェクトの割合を特定する。なお、この割合は、面積（つまり画素数）の割合とされる。
【００３２】
この実施の形態では、属性割合特定部３２は、その割合に基づき、画像内において、文字属性のオブジェクトの部分が多いか否か、および文字属性のオブジェクトの部分が少ないか否かを判定する。さらに、この実施の形態では、属性割合特定部３２は、さらに、その割合に基づき、文字属性のオブジェクトの部分と文字属性以外のオブジェクトの部分が同等であるか否かを判定する。
【００３３】
例えば、文字属性のオブジェクトの割合が所定の第１の閾値より多い場合、文字属性のオブジェクトの部分が多いと判定され、文字属性のオブジェクトの割合が所定の第２の閾値より少ない場合、文字属性のオブジェクトの部分が少ないと判定され、文字属性のオブジェクトの割合が第１の閾値以下でありかつ第２の閾値以上である場合、文字属性のオブジェクトの部分と文字属性以外のオブジェクトの部分が同等であると判定される。
【００３４】
例えば第１の閾値は５２％とされ第２の閾値は４８％とされる。つまり、第１の閾値および第２の閾値は、略５０％とされ、第１の閾値は、第２の閾値より大きい値に設定される。
【００３５】
ガンマ補正処理部３３は、各トナー色についての例えば８ビットの多階調の画像データに対して、印刷画像が所望の階調特性になるように、印刷装置１３の階調特性に合わせたガンマ特性で、ガンマ補正を行う。また、スクリーン処理部３４は、ガンマ補正後の画像データに対してスクリーン処理を行う。
【００３６】
ガンマ補正処理部３３は、トナー削減モードが選択されている場合において、文字属性のオブジェクトの部分が少ないと判定されたとき、第１の方法で文字属性以外のオブジェクトについてのトナー消費量を少なくする。
【００３７】
具体的には、ガンマ補正処理部３３は、トナー削減モードが選択されている場合において、文字属性のオブジェクトの部分が少ないと判定されたとき、通常モードのガンマ特性よりトナー消費量が少なくなるトナー削減ガンマ特性で文字属性以外のオブジェクトに対してガンマ補正を行い、文字属性のオブジェクトに対してはトナー削減ガンマ特性でのガンマ補正を行なわない。なお、この場合、文字属性のオブジェクトに対しては、通常モードのガンマ特性でガンマ補正を行う。あるいは、通常モードで文字属性のオブジェクトに対してガンマ補正を行わない場合には、この場合の文字属性のオブジェクトに対しては、ガンマ補正を全く行わない。
【００３８】
図３は、通常モードのガンマ特性およびトナー削減モードのガンマ特性の例を示す図である。図３（Ａ）に示す例では、トナー削減モードのガンマ特性は、所定の閾値以下の入力値については、通常モードのガンマ特性と同一であり、その閾値以上の入力値については、一定の出力値としている。この特性によると、文字属性以外のオブジェクトの高濃度部分のトナー消費量が削減される。
【００３９】
図３（Ｂ）に示す例では、トナー削減モードのガンマ特性は、入力値全域において、通常モードのガンマ特性より低い出力値としている。この特性によると、文字属性以外のオブジェクトの全濃度域においてトナー消費量が削減される。
【００４０】
図４は、実施の形態１における、画像データの画素値とスクリーン処理後の印刷画像データとの関係を説明する図である。図４に示すようにスクリーン処理では、画像データの画素値が増加するに従って、ドット数を増加させていく。このとき、ドットのトナー濃度値は一定である。
【００４１】
また、スクリーン処理部３４は、トナー削減モードが選択されている場合において、文字属性のオブジェクトの部分が多いと判定されたとき、第１の方法とは異なる第２の方法で文字属性のオブジェクトについてのトナー消費量を少なくする。
【００４２】
具体的には、スクリーン処理部３４は、トナー削減モードが選択されている場合において、文字属性のオブジェクトの部分が多いと判定されたとき、文字属性のオブジェクトのトナー現像におけるドットサイズを通常モードの場合より小さくし、文字属性以外のオブジェクトのトナー現像におけるドットサイズは通常モードの場合と同一とする。なお、この場合のスクリーン線数は、通常モードの場合と同一である。
【００４３】
より具体的には、スクリーン処理部３４は、コントローラー２３による文字属性のオブジェクト内の各画素についての露光装置２ａ〜２ｄから感光体ドラム１ａ〜１ｄへの光の照射期間（つまり、露光時間）を短くして、その画素のドットサイズを小さくする。そのとき、スクリーン処理部３４は、その照射時間のデータをコントローラー２３に供給して、ドットサイズを制御する。
【００４４】
図５は、図１に示す画像形成装置において、露光装置２ａ〜２ｄから感光体ドラム１ａ〜１ｄへ照射される光のオン・オフを説明する図である。図５に示すように、コントローラー２３は、スクリーン処理部３２からの照射期間の指定に基づいて、照射期間の長さｔを設定する。その長さｔは、１画素分の走査期間の長さＴ以下とされる。さらに、トナー削減モードにおける文字属性のオブジェクト内の各画素についての照射時間の長さｔは、通常モードにおける各画素についての照射時間の長さｔより短く設定される（例えば通常モードの長さｔの９０％）。例えば、スクリーン処理後の各画素値が４ビットデータとされ、その値に応じた照射時間で１５階調のドットサイズが表現される場合、トナー削減モードにおける文字属性のオブジェクト内の各画素について、その各階調のドットサイズが上述のように短く設定される。
【００４５】
なお、トナー削減モードが選択されている場合において、文字属性のオブジェクトの部分がそれ以外のオブジェクトの部分と同等の割合であると判定されたとき、ガンマ補正処理部３３は、第１の方法で文字属性以外のオブジェクトについてのトナー消費量を少なくし、かつスクリーン処理部３４は、第２の方法で文字属性のオブジェクトについてのトナー消費量を少なくする。
【００４６】
ただし、この場合におけるガンマ補正処理部３３のガンマ特性は、上述のようにガンマ補正処理部３３のみでトナー削減を行う場合よりトナー削減量が少なくなる特性（つまり、図３に示すような通常モードのガンマ特性とトナー削減モードのガンマ特性との中間の特性）とされ、この場合におけるスクリーン処理部３４による露光時間の縮小幅は、上述のようにスクリーン処理部３４のみでトナー削減を行う場合より小さくされる（つまり、通常モードでの露光時間と、スクリーン処理部３４のみでトナー削減を行う場合の露光時間との中間の露光時間とされる）。このようにすることで、ガンマ補正処理部３３およびスクリーン処理部３４のいずれか一方のみでトナー削減を行う場合のトナー削減量と同様のトナー削減量とすることができる。
【００４７】
次に、上記画像形成装置の動作について説明する。
【００４８】
図６は、図１および図２に示す画像形成装置のトナー削減モードでの動作について説明するフローチャートである。
【００４９】
まず、オブジェクト抽出部３１は、画像内のオブジェクトを抽出し、各オブジェクトの属性を特定する（ステップＳ１）。
【００５０】
次に、属性割合特定部３２は、抽出されたオブジェクトについて、各属性のオブジェクトの割合を特定し、その割合に基づき、文字属性のオブジェクトの部分が多いか否か（ステップＳ３）、および文字属性のオブジェクトの部分が少ないか否か（ステップＳ４）を判定する。
【００５１】
なお、属性割合特定部３２は、画像内において、文字属性のオブジェクトの部分が多くなく、かつ、文字属性のオブジェクトの部分が少なくない場合、文字属性のオブジェクトの部分と文字属性以外のオブジェクトの部分が同等であると判定し、文字属性のオブジェクトの部分が多いか、文字属性のオブジェクトの部分が少ない場合、文字属性のオブジェクトの部分と文字属性以外のオブジェクトの部分が同等ではないと判定する。
【００５２】
文字属性のオブジェクトの部分が多いと判定された場合、スクリーン処理部３４は、コントローラー２３による文字属性のオブジェクト内の各画素についての露光装置２ａ〜２ｄから感光体ドラム１ａ〜１ｄへの光の照射期間（つまり、露光時間）を短くして、ドットサイズを小さくする（ステップＳ５）。なお、この場合、文字属性以外のオブジェクト内の各画素のドットサイズは、通常モードの場合と同一であり、ガンマ補正処理部３３のガンマ特性は、すべての属性のオブジェクトについて、ガンマ特性と同一とされる。
【００５３】
文字属性のオブジェクトの部分が少ないと判定された場合、ガンマ補正処理部３３は、文字属性以外のオブジェクトに対して、通常モードのガンマ特性よりトナー消費量が少なくなるトナー削減ガンマ特性でガンマ補正を行う（ステップＳ６）。なお、この場合、露光装置２ａ〜２ｄの上述の露光時間は、すべての属性のオブジェクトについて、通常モードの露光時間と同一とされる。
【００５４】
文字属性のオブジェクトの部分と文字属性以外のオブジェクトの部分が同等であると判定された場合、ガンマ補正処理部３３は、文字属性以外のオブジェクトに対して、通常モードのガンマ特性よりトナー消費量が少なくなるトナー削減ガンマ特性でガンマ補正を行う（ステップＳ７）。また、この場合、スクリーン処理部３４は、コントローラー２３による文字属性のオブジェクト内の各画素についての露光装置２ａ〜２ｄから感光体ドラム１ａ〜１ｄへの光の照射期間（つまり、露光時間）を短くして、ドットサイズを小さくし（ステップＳ８）。
【００５５】
以上のように、上記実施の形態によれば、属性割合特定部３２は、抽出されたオブジェクトについて、属性ごとに、抽出されたオブジェクトすべてに対するその属性のオブジェクトの割合を特定する。ガンマ補正処理部３３は、トナー削減モードが選択されている場合において、文字属性のオブジェクトの部分が少ないときには、第１の方法（ここでは、ガンマ特性の切換）で文字属性以外のオブジェクトについてのトナー消費量を少なくする。また、スクリーン処理部３４は、トナー削減モードが選択されている場合において、文字属性のオブジェクトの部分が多いときには、第２の方法（ここでは、露光時間の制御）で文字属性のオブジェクトについてのトナー消費量を少なくする。
【００５６】
これにより、印刷すべき画像の内容に応じて適切なトナー削減方法でトナー消費量が削減されるため、画質の低下を抑制しつつトナー削減が行われる。
【００５７】
なお、上述の実施の形態は、本発明の好適な例であるが、本発明は、これらに限定されるものではなく、本発明の要旨を逸脱しない範囲において、種々の変形、変更が可能である。
【００５８】
例えば、上記実施の形態において、文字属性のオブジェクトの部分と文字属性以外のオブジェクトの部分が同等である否かの判定を行わないようにしてもよい。その場合、文字属性のオブジェクトの部分が多い場合、および文字属性のオブジェクトの部分が少ない場合の２つの場合について、それぞれ上述のようにして（つまり、ステップＳ５およびステップＳ６のようにして）トナー削減を行えばよい。
【産業上の利用可能性】
【００５９】
本発明は、例えば、画像形成装置に適用可能である。
【符号の説明】
【００６０】
３１  オブジェクト抽出部
３２  属性割合特定部
３３  ガンマ補正処理部（第１処理部の一例）
３４  スクリーン処理部（第２処理部の一例）
【図１】
2014164199.tif 000003
【図２】
2014164199.tif 000004
【図３】
2014164199.tif 000005
【図４】
2014164199.tif 000006
【図５】
2014164199.tif 000007
【図６】
2014164199.tif 000008